(57)【要約】【課題】画像形成装置及び該画像形成装置を含んで構成される複合装置の省エネの向上を図る。【解決手段】電源がＯＮとされたとき、まず、ＡＳＩＣの電力制御部及び各回路ブロックの電力消費モードを通常モードに設定し（ステップ３０１）、ネットワークコントロールサービスＮＣＳがアイドル状態か否かを判定し、アイドル状態になったことが判定されると、電力消費モードを待機モードに設定する（ステップ３０２〜３０４）。その後、自複合装置宛てのデータを受信したか否かを判定し、自複合装置宛てのデータの受信を監視し、自複合装置宛てのデータの受信があったとき、電力消費モードを待機モードから通常モードに復帰させる（ステップ３０５、３０６）。【選択図】      図３
2004289361.tif 000002
【特許請求の範囲】
【請求項１】
ネットワークを介して外部装置と接続可能な画像形成装置において、外部装置との間でデータの送受信を行う複数の電力消費モードに設定可能な送信及び受信手段と、外部装置から受信した受信パケットデータに応じて、前記電力消費モードを変更する電力制御手段とを備えることを特徴とする画像形成装置。
【請求項２】
前記電力消費モードとして、送信手段の電力消費モードである送信部電力消費モードと受信手段の電力消費モードである受信部電力消費モードとを備えることを特徴とする請求項１記載の画像形成装置。
【請求項３】
前記送信部電力消費モードは、少なくとも、通常モードと、省エネモードと、電力停止モードとを備えることを特徴とする請求項２記載の画像形成装置。
【請求項４】
前記受信部電力消費モードは、少なくとも、通常モードと、省エネモードとを備えることを特徴とする請求項２または３記載の画像形成装置。
【請求項５】
前記電力制御手段は、前記送信部電力消費モードを、受信部電力消費モードと同一に制御するか、あるいは、受信部より電力消費が少ない電力消費モードに制御することを特徴とする請求項２、３または４記載の画像形成装置。
【請求項６】
前記電力制御手段は、前記受信部電力消費モードを、通常モードに設定し、前記送信部電力消費モードを省エネモードまたは電力停止モードに設定することを特徴とする請求項４記載の画像形成装置。
【請求項７】
前記電力制御手段は、前記受信部電力消費モードを省エネモードに設定し、前記送信部電力消費モードを電力停止モードに設定することを特徴とする請求項４記載の画像形成装置。
【請求項８】
前記電力制御手段は、前記受信手段が自手段宛のパケットデータを受信していないときに、前記受信部電力消費モードを省エネモードに設定することを特徴とする請求項４、５または７記載の画像形成装置。
【請求項９】
前記電力制御手段は、前記受信部電力消費モードを省エネモードに設定されているときに、受信手段が自手段宛のパケットデータを受信したとき、前記受信部電力消費モード及び前記送信部電力消費モードの設定を変更することを特徴とする請求項８記載の画像形成装置。
【請求項１０】
前記電力制御手段は、前記送信及び受信手段への供給クロックの周波数を変更し、あるいは、クロックを停止するクロック制御手段を備えることを特徴とする請求項１ないし９のうちいずれか１記載の画像形成装置。
【請求項１１】
前記電力制御手段は、前記送信及び受信手段への供給電力の電圧を変更し、あるいは、電力を供給停止する電源電圧制御手段を備えることを特徴とする請求項１ないし９のうちいずれか１記載の画像形成装置。
【請求項１２】
請求項１ないし１１のうちいずれか１記載の画像形成装置を含んで構成されたことを特徴とする複合装置。
【発明の詳細な説明】
【０００１】
【発明の属する技術分野】
本発明は、画像形成装置及び複合装置に係り、特に、ネットワークに接続されているネットワークスキャナ、複合装置等に使用して好適な画像形成装置及び該画像形成装置を使用する複合装置に関する。
【０００２】
【従来の技術】
ネットワークに接続されて使用されるプリンタ、スキャナ、複合装置に関する従来技術として、例えば、特許文献１等に記載された技術が知られている。この従来技術は、ネットワークに接続されている情報処理装置からの出力データの送信予定がない場合に、直ちにプリンタエンジン等の出力装置本体への電源供給を遮断して高節電状態に遷移するようにしたものである。
【０００３】
また、ネットワークに接続されて使用される複合装置に関する他の従来技術として、例えば、特許文献２等に記載された技術が知られている。この従来技術は、省エネモードを備えて構成されるものであるが、ネットワークＩ／Ｆを備えたコントローラには、省エネ時にも電源が供給されているものである。
【０００４】
【特許文献１】
特開平０９−１９１５６８号公報
【０００５】
【特許文献２】
特開２００１−３２８３１３号公報
【０００６】
【発明が解決しようとする課題】
前述した特許文献１に記載された従来技術は、ネットワークを介する出力データの送信予定がない場合に出力装置本体への電源供給を遮断しているため、ネットワーク上に出力装置が接続されていない状態になり、このため、外部装置との通信ができない状態になるので、出力装置自体の電源をマニュアルでＯＮする必要があるという課題がある。
【０００７】
また、前述した特許文献２に記載された従来技術は、ネットワークＩ／Ｆを備えたコントローラに、省エネ時にも電源が供給されているため、省エネ効果が充分でなく、省エネ効果を高くするためにコンロローラへの電源の供給を遮断すると、複合装置がネットワークに接続されていない状態になり、前述の場合と同様に、外部装置との通信ができない状態となってしまうという課題がある。
【０００８】
本発明の目的は、前述した点に鑑み、ネットワーク対するデータの送信、受信の状況に応じて、最適な省エネモードを設定できるようにして、省エネ効果を向上させることを可能にした画像形成装置及び該画像形成装置を使用する複合装置を提供することにある。
【０００９】
【課題を解決するための手段】
前記目的を達成するための本発明の第１の手段は、ネットワークを介して外部装置と接続可能な画像形成装置において、外部装置との間でデータの送受信を行う複数の電力消費モードに設定可能な送信及び受信手段と、外部装置から受信した受信パケットデータに応じて、前記電力消費モードを変更する電力制御手段とを備えることを特徴とする。
【００１０】
本発明の第２の手段は、本発明の第１の手段において、前記電力消費モードとして、送信手段の電力消費モードである送信部電力消費モードと受信手段の電力消費モードである受信部電力消費モードとを備えることを特徴とする。
【００１１】
本発明の第３の手段は、本発明の第２の手段において、前記送信部電力消費モードが、少なくとも、通常モードと、省エネモードと、電力停止モードとを備えることを特徴とする。
【００１２】
本発明の第４の手段は、本発明の第２または第３の手段において、前記受信部電力消費モードが、少なくとも、通常モードと、省エネモードとを備えることを特徴とする。
【００１３】
本発明の第５の手段は、本発明の第２、第３または第４の手段において、前記電力制御手段が、前記送信部電力消費モードを、受信部電力消費モードと同一に制御するか、あるいは、受信部より電力消費が少ない電力消費モードに制御することを特徴とする。
【００１４】
本発明の第６の手段は、本発明の第４の手段において、前記電力制御手段が、前記受信部電力消費モードを、通常モードに設定し、前記送信部電力消費モードを省エネモードまたは電力停止モードに設定することを特徴とする。
【００１５】
本発明の第７の手段は、本発明の第４の手段において、前記電力制御手段が、前記受信部電力消費モードを省エネモードに設定し、前記送信部電力消費モードを電力停止モードに設定することを特徴とする。
【００１６】
本発明の第８の手段は、本発明の第４、第５または第７の手段において、前記電力制御手段が、前記受信手段が自手段宛のパケットデータを受信していないときに、前記受信部電力消費モードを省エネモードに設定することを特徴とする。
【００１７】
本発明の第９の手段は、本発明の第４、第５または第７の手段において、前記電力制御手段が、前記受信部電力消費モードを省エネモードに設定されているときに、受信手段が自手段宛のパケットデータを受信したとき、前記受信部電力消費モード及び前記送信部電力消費モードの設定を変更することを特徴とする。
【００１８】
本発明の第１０の手段は、本発明の第１ないし第９のうちいずれか１の手段において、前記電力制御手段が、前記送信及び受信手段への供給クロックの周波数を変更し、あるいは、クロックを停止するクロック制御手段を備えることを特徴とする。
【００１９】
本発明の第１１の手段は、本発明の第１ないし第９のうちいずれか１の手段において、前記電力制御手段が、前記送信及び受信手段への供給電力の電圧を変更し、あるいは、電力を供給停止する電源電圧制御手段を備えることを特徴とする。  本発明の第１２の手段は、本発明の第１ないし第１１のうちいずれか１の手段による画像形成装置を含んで複合装置を構成したことを特徴とする。
【００２０】
本発明の第１の手段によれば、受信パケットに応じて、電力消費モードを変更しているので省エネの効果を向上させることができる。
【００２１】
本発明の第２の手段によれば、送信手段の電力消費モードと受信手段の電力消費モードとを備えて、これらを制御しているので、さらなる省エネ効果の向上を図ることができる。
【００２２】
本発明の第３の手段によれば、送信部の電力消費モードを複数備えて、必要により送信部を省エネモードに設定することができるので、省エネ効果の向上を図ることができる。
【００２３】
本発明の第４の手段によれば、受信部の電力消費モードを複数備えて、必要により受信部を省エネモードに設定することができるので、省エネ効果の向上を図ることができる。
【００２４】
本発明の第５、第６、第７の手段によれば、送信部の電力消費モードを受信部の電力消費モードに対して同一か、より小さい電力消費のモードに設定しているので、より、省エネ効果の向上を図ることができる。
【００２５】
本発明の第８の手段によれば、受信部の電力消費モードを、受信パケットがないときに省エネモード（受信待機モード）に設定することができるので、省エネ効果の向上を図ることができる。
【００２６】
本発明の第９の手段によれば、受信部が自分宛のパケットデータを受信したときに、電力消費モードを変更するので、自動的に電力消費モードを変更することができる。
【００２７】
本発明の第１０の手段によれば、クロックの周波数の変更、あるいは、停止することにより電力消費モードを変更することができるので、省エネ効果の向上を図ることができる。
【００２８】
本発明の第１１の手段によれば、電源電圧の変更、あるいは、停止することにより電力消費モードを変更することができるので、省エネ効果の向上を図ることができる。
【００２９】
本発明の第１２の手段によれば、第１〜第１１の手段のそれぞれが持つ省エネ効果を奏することができ複合装置を提供することができる。
【００３０】
【発明の実施の形態】
以下、本発明による画像形成装置及び複合装置の実施形態を図面により詳細に接続する。
【００３１】
図１は本発明の第１の実施形態による複合装置の構成を示すブロック図である。
【００３２】
図１に示すように、本発明の第１の実施形態による複合装置は、コントローラボード１０１に、ＡＳＩＣ１０２、ＡＳＩＣクロック生成部１０３、ＣＰＵ１０４、ＣＰＵ電力制御部１０５、メモリ（ＳＤＲＡＭ）１０６、メモリカード（Ｍｅｍｏｒｙ  Ｃａｒｄ）１０７、外部装置が接続されたネットワークとＭＡＣとの間での信号変換を行ってデータの受渡しを行う機能を有するＰＨＹ１０８、ＰＨＹクロック生成部１０９、操作部（Ｏｐｅｒａｔｉｏｎ  Ｐａｎｅｌ）１１０、ＨＤＤ１１１、ボード電力制御部１１２、外部電力制御部１１３が搭載されて構成される。ＡＳＩＣ１０２には、ＣＰＵ１０４と接続するためのＣＰＵＩ／Ｆ１１４、メモリ（ＳＤＲＡＭ）１０６と接続するためのメモリＩ／Ｆ（ＭＥＭＩ／Ｆ）１１５、操作部１１０と接続するためのＯＰＥＩ／Ｆ１１６、ＨＤＤ１１１と接続するためのＨＤＤＩ／Ｆ１１７、汎用Ｉ／ＯＩ／Ｆ１１８、メモリカード１０７と接続するためのＭｅｍｏｒｙ  Ｃａｒｄ  Ｉ／Ｆ１１９、及び、中央制御部１２０が搭載されている。全ての制御、データ転送は、中央制御部１２０を介して行われる。メモリカード１０７は、Ｓｅｃｕｒｅ  Ｄｉｇｉｔａｌ  Ｃａｒｄ  であってよい。
【００３３】
また、ＡＳＩＣ１０２には、ＰＣＩＩ／Ｆ１２１が搭載されており、ＰＣＩＩ／Ｆ１２１を経由して複合装置（ＭＦＰ）１２２が接続可能であり、ＭＦＰ１２２以外にも、スキャナ１２３、プリンタ１２４も接続可能である。さらに、ＰＣＩＩ／Ｆ１２１には、ＩＥＥＥ１３９４Ｉ／Ｆ１２５、ＦＡＸ制御部（ＦＣＵ）１２６が接続可能である。
【００３４】
さらに、ＡＳＩＣ１０２には、クロック制御部１３１を有する電力制御部１３０が搭載されており、この電力制御部１３０は、ＣＰＵ電力制御部１０５、ボード電力制御部１１２、外部電力制御部１１３を制御する。
【００３５】
図２はコントローラボードに搭載されるソフトウエア全体の構成を説明する図である。
【００３６】
図２に示すようにソフトウエア全体は、プラットフォーム２０１と多数のアプリケーションソフトウェアを備えるアプリケーション２０２とを有し、プラットフォーム２０１とアプリケーション２０２とは、アプリケーションインタフェースＡＰＩ２０４により接続可能に構成されている。プラットフォーム２０１は、汎用ＯＳ２０８と、共通システムサービス２０３と、アプリケーションサービス２２８とにより構成される。共通システムサービス２０３は、システムリソースマネージャーＳＲＭ２０７内に備えられるシステムコントロールサービスＳＣＳ２０９、ネットワークコントロールサービスＮＣＳ２１０、ＦＡＸコントロールサービスＦＣＳ２１１、オペレーションパネルコントロールサービスＯＣＳ２１２、メモリコントロールサービスＭＣＳ２１３、エンジンコントロールサービスＥＣＳ２１４を有している。また、アプリケーション２０２として、電力管理アプリケーション２１５、工程検査アプリケーション２１６、ネットファイルアプリケーション２１７、スキャナアプリケーション２１８、ファックスアプリケーション２１９、コピーアプリケーション２２０、プリンタアプリケーション２２１が備えられる。
【００３７】
そして、プラットフォーム２０１には、エンジンインタフェース（Ｉ／Ｆ）２０５を介して、黒白レーザプリンタＢ＆ＷＬＰ２２２、カラーレーザプリンタＣＯＬＯＲＬＰ２２３が接続されており、ハードウェアインタフェース（Ｉ／Ｆ）２０６を介して、ネットワーク送信部２２４、ネットワーク受信部２２５、電力制御部２２６、その他のハードウェアリソース２２７が制御されている。
【００３８】
図２に示すように構成されるソフトウェアにおけるそれぞれのモジュールの機能については、すでに公知であるので、その説明を省略するが、図２における電力制御アプリケーション２１５が本発明の実施形態のために新たに設けられたものである。そして、この電力管理アプリケーション２１５が複合装置の電力管理を行う。
【００３９】
図１の参照に戻って、ＡＳＩＣ１０２のＭＡＣ送信部１２７は、ＡＳＩＣ１０２内部の電力制御部１３０におけるクロック制御部１３１において、表１に示すように、通常、省エネ、電力停止の３つの電力消費モードを設定することが可能である。この３つの電力消費モードは、ＭＡＣ送信部１２７へのクロックの周波数を変更することにより電力消費を制御するものである。省エネモードのクロックの周波数は、通常周波数よりも小さく設定される。電力停止モードは、クロックの供給を停止することにより設定される。
【００４０】
ＡＳＩＣ１０２のＭＡＣ受信部１２８や、ＭＡＣ（送信部、ＭＡＣ受信部）以外のＡＳＩＣ１０２の内部の回路ブロック（ＭＥＭＩ／Ｆ１１５、メモリカードＩ／Ｆ１１９、ＣＰＵＩ／Ｆ１１４、ＯＰＥＩ／Ｆ１１６、ＨＤＤＩ／Ｆ１１７、ＰＣＩＩＦ１２１、Ｉ／ＯＩ／Ｆ１１８）も表１に示すような電力消費モードの設定を電力制御部１３０で行うことが可能である。但し、ＡＳＩＣ１０２の電力制御部１３０は、ＭＡＣ受信部１２８の電力消費モードと同じか、あるいは、それ以上に設定しておく必要がある。
【００４１】
【表１】
2004289361.tif 000003
【００４２】
ボード電力制御部１１２は、コントローラボード１０１上のメモリカード１０７、ＳＤＲＡＭ１０６、操作部１１０、ＨＤＤ１１１、ＣＰＵ１０４の電力制御を行う。この場合の電力消費モードは、表２に示すように、通常、省エネ、電力停止モードを持つ。電力停止時には、電力の供給を停止することにより、電力の削減が可能である。ボード電力制御部１１２は、ＣＰＵ電力制御部１０５をも制御する。
【００４３】
【表２】
2004289361.tif 000004
【００４４】
ＣＰＵ電力制御部１０５は、表３に示すように、通常、省エネ、電力停止の３のモードによりＣＰＵ１０４に対する電力の制御を行う。省エネモードは、ＣＰＵへの電源電圧、クロック周波数を変更することにより、省エネの制御を行う。これにより、省エネに対応したＣＰＵを使用すれば、省エネの効果を得ることができる。
【００４５】
【表３】
2004289361.tif 000005
【００４６】
さらに、本発明の実施形態では、ボード電力制御ブロック１１２からＡＳＩＣ１０２の電源も制御する。ネットワーク動作中、ＡＳＩＣ１０２への電力を停止することができないので、通常または省エネモードに設定される。
【００４７】
外部電力制御部１１３は、コントローラモード以外の複合装置の電力制御を行う。例えば、複合装置のスキャナ、プリンタエンジンの電源制御、ＦＣＵ１２６やＩＥＥＥ１３９４Ｉ／Ｆ１２５の電源制御を行う。外部電力制御部１１３は、ボード電力制御部と同様に、表２に示すように、通常、省エネ、電力停止モードの３つのモードを持つ。
【００４８】
なお、ＡＳＩＣクロック生成部１０３、ＭＡＣと接続されているＰＨＹ１０８、ＰＨＹクロック生成部１０９には、常に電源が供給されている。
【００４９】
図１に示す複合装置の電源ＯＮの後、ＡＳＩＣ１０２の電力制御部１３０は、各回路ブロックの電力消費モードを通常モードに設定する。その後、図２に示しているのＯＳ２０８が立ち上がり、アプリケーションが起動可能な状態となる。
【００５０】
この状態で、複合装置は、ネットワークに接続された図示しない外部ホストからの印刷データを受信すれば、プリンタアプリケーション２１９がその印刷データを、複合装置のプリンタ部に印刷可能状態に変換して転送することにより、印刷することが可能になる。また、複合装置は、操作部１１０からの指令、または、ネットワークを介した指令で、スキャナアプリケーション２１８を起動することにより、原稿をスキャンして、ネットワークに接続された図示しない外部ホストにスキャナデータを送信することが可能になる。
【００５１】
図２に示す電力管理アプリケーション２１５は、ネットワークから自複合装置宛のデータが来ないことを確認して、電力制御部１３０に対して、電力消費モードを待機モードにする。前述の確認は、ネットワーク制御サービスＮＣＳ２１０において、ネットワークの制御が無くなったことにより、ＭＡＣ受信部１２８で自複合機宛のデータを受信していないことを確認することにより行われる。この場合の待機モードは、表４〜表８に示しているような待機モードに設定することができる。
【００５２】
【表４】
2004289361.tif 000006
【００５３】
【表５】
2004289361.tif 000007
【００５４】
【表６】
2004289361.tif 000008
【００５５】
【表７】
2004289361.tif 000009
【００５６】
【表８】
2004289361.tif 000010
【００５７】
表４、表５に示す待機モードにおいて、ボード消費電力を省エネモードに設定しているが、ネットワーク処理に関連する回路ブロックも省エネモードにするようにすれば、さらに消費電力を削減することができる。例えば、操作部１１０、ＨＤＤＩ／Ｆ１１７、メモリカードＩ／Ｆの回路ブロックで電力停止モード（クロック停止）とすればよい。また、表８に示す待機モードでは、受信部以外の電力消費モードを電力停止モードに設定しているので、省エネ効果をさらに大きなものとすることができる。さらなる省エネ効果を望む場合、ボード電力制御部１１２において、ＡＳＩＣ１０２への電源電圧を制御するようにすることもできる。すなわち、内部コアの電源を通常電源よりも小さくすれば、より大きな省エネ効果を得ることができる。
【００５８】
本発明の実施形態は、前述したような待機モードを設定して、複合装置の省エネを図るものであるが、待機モードに移行する前にシステムで使用しているパラメータ情報等をメモリカード１０７に保存しておくようにすることができ、これにより、待機モードから復帰したとき、システムを待機モード時以前の状態に戻すことが可能になる。また、電力制御部で、待機モードに移行する前の電力消費モードを保存しておけば、待機モードから復帰したとき待機モード前の電力消費モードに戻すことも可能である。
【００５９】
待機モード時、ＰＨＹ１０８、ＡＳＩＣ１０２のＭＡＣ受信部１２８は、動作しているので、ネットワークから自複合装置宛のパケット（データ）を受信することが可能な状態になっている。ＭＡＣ受信部１２８のデータ解析部１２９は、受信したパケットが自複合装置宛のパケット（データ）か否かを判定する。この判定は、パターンマッチングによる検出、または、マジックパケットの検出をすることにより行うことができる。自複合装置宛のパケット（データ）と判定した場合、データ解析部１２９は、自複合装置宛のパケット（データ）の受信を電力制御部１３０に通知して、電力消費モードを変更させる。この場合の電力消費モードの変更は、モードを通常モードに設定する変更、あるいは、待機モードに入る前の電力消費モードに戻る変更である。待機モードから抜ければ、ＣＰＵ１０４での処理が可能になり、ネットワークからの応答が可能になる。そして、ネットワークを介しての印刷やスキャンが可能になる。
【００６０】
図３はモード移行の処理動作を説明するフローチャートであり、次に、これについて説明する。
【００６１】
（１）電源がＯＮとされたときここでの処理が開始され、電源がＯＮとされると、まず、ＡＳＩＣの電力制御部１３０及び各回路ブロックの電力消費モードを通常モードに設定する（ステップ３０１）。
【００６２】
（２）その後、電源スイッチ（ＳＷ）がＯＮとなっているか否かを判定し、電源スイッチがＯＮとなっていなかった場合、ここでの処理を終了する（ステップ３０２）。
【００６３】
（３）ステップ３０２の判定で、電源スイッチがＯＮとなっていた場合、ネットワークコントロールサービスＮＣＳ２１０がアイドル（ＩＤＬＥ）状態か否かを判定し、アイドル（ＩＤＬＥ）状態でなければ、ＮＣＳ２１０がＩＤＬＥ状態になることを監視する（ステップ３０３）。
【００６４】
（４）ステップ３０３の判定で、ＮＣＳ２１０がＩＤＬＥ状態になったことが判定されると、電力消費モードを待機モードに設定する（ステップ３０４）。
【００６５】
（５）その後、自複合装置宛てのデータを受信したか否かを判定し、自複合装置宛てのデータを受信していなかった場合、自複合装置宛てのデータの受信があるのを監視する（ステップ３０５）。
【００６６】
（６）ステップ３０５の判定で、自複合装置宛てのデータの受信があったことが判定されると、電力消費モードを待機モードから通常モードに復帰させ、ステップ３０２からの処理に戻って、その後の処理を繰り返す（ステップ３０６）。
【００６７】
前述した本発明の実施形態による処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体により提供することができ、また、ネットワークを介して提供することができる。
【００６８】
図４は本発明の第２の実施形態による複合装置の構成を示すブロック図である。
【００６９】
図４に示す本発明の第２の実施形態は、第１の実施形態の場合と基本的に同一に構成されるが、ボード電力制御部１１３が、ＡＳＩＣ１０２の電源の制御を行わない点で、第１の実施形態と相違している。
【００７０】
第２の実施形態において、ＡＳＩＣ１０２のＭＡＣ送信部１２７は、ＡＳＩＣ１０２内部の電力制御部１３０におけるクロック制御部１３１において、表１に示すように、通常、省エネ、電力停止の３つの電力消費モードを設定することが可能である。この３つの電力消費モードは、ＭＡＣ送信部１２７へのクロックの周波数を変更することにより電力消費を制御するものである。省エネモードのクロックの周波数は、通常周波数よりも小さく設定される。電力停止モードは、クロックの供給を停止することにより設定される。
【００７１】
ＡＳＩＣ１０２のＭＡＣ受信部１２８や、ＭＡＣ（送信部、ＭＡＣ受信部）以外のＡＳＩＣ１０２の内部の回路ブロック（ＭＥＭＩ／Ｆ１１５、メモリカードＩ／Ｆ１１９、ＣＰＵＩ／Ｆ１１４、ＯＰＥＩ／Ｆ１１６、ＨＤＤＩ／Ｆ１１７、ＰＣＩＩＦ１２１、Ｉ／ＯＩ／Ｆ１１８）も表１に示すような電力消費モードの設定を電力制御部１３０で行うことが可能である。但し、ＡＳＩＣ１０２の電力制御部１３０は、ＭＡＣ受信部１２８の電力消費モードと同じか、あるいは、それ以上に設定しておく必要がある。さらに、ＡＳＩＣ１０２の電力制御部１３０内の電源制御は、ＡＳＩＣ１０２のコア電源電圧を、ＭＡＣ受信部１２８、ＭＡＣ送信部１２７、ＭＡＣ以外の回路ブロック毎に制御することが可能である。電源制御では、電源ＯＮ直後は通常電源モードとなる。電源制御における電源モードは、表９に示すように、通常、省エネ、電力停止の３つのモードに設定することができる。
【００７２】
【表９】
2004289361.tif 000011
【００７３】
この本発明の第２の実施形態は、第１の実施形態と異なり、ボード電力制御部１１２が、ＡＳＩＣ１０２の電源を制御しないため、ＡＳＩＣ１０２の電源は、ＡＳＩＣ電力制御部１３０の電源制御部で制御される。従って、複合装置のメイン電源がＯＮであれば、ＡＳＩＣ１０２には、常に電源が供給されていることになる。そして、複合装置の電源ＯＮ後、ＡＳＩＣの電力制御部１３０は、各回路ブロックの電力消費モードを通常モードに設定する。電源制御部も通常モードに設定される。
【００７４】
図２に示している電源管理アプリケーション２１５は、ネットワークから自複合装置宛のデータが来ないことを確認して、電力制御部１３０に対して、電力消費モードを待機モードにする。前述の確認は、ネットワーク制御サービスＮＣＳ２１０において、ネットワークの制御が無くなったことにより、ＭＡＣ受信部１２８で自複合機宛のデータを受信していないことを確認することにより行われる。この場合の待機モードは、表４〜表８に示しているような受信待機モード（１）〜（５）に設定することができる。
【００７５】
待機モードが受信待機モード（１）〜受信待機モード（３）のとき、電源制御部でも同様に、ＭＡＣ受信部１２８、ＭＡＣ送信部１２７の電源モードを設定すればよく、また、ＭＡＣ以外のＡＳＩＣ１０２内の回路ブロック（電源制御部を除く）を省エネモードしておけばよい。受信待機モード（４）、受信待機モード（５）において、さらなる消費電力効果を望む場合、ＡＳＩＣ１０２のＭＡＣ受信部１２８以外の回路ブロックに対する電源の供給を停止すればよい。電源の供給を停止すれば、ＡＳＩＣ１０２内のリーク電流を抑えることができるので省エネ効果を上げることができる。
【００７６】
前述したような待機モードに移行する前に、電力制御部１３０が、待機モードに移行する前の電源制御のモードを保存しておけば、待機モードから復帰したとき、待機モード前の電源制御のモードに復帰させることができる。
【００７７】
待機モード時、ＰＨＹ１０８、ＡＳＩＣ１０２のＭＡＣ受信部１２８は、動作しているので、ネットワークから自複合装置宛のパケット（データ）を受信することが可能な状態になっている。ＭＡＣ受信部１２８のデータ解析部１２９は、受信したパケットが自複合装置宛のパケット（データ）か否かを判定する。この判定は、パターンマッチングによる検出、または、マジックパケットの検出をすることにより行うことができる。自複合装置宛のパケット（データ）と判定した場合、データ解析部１２９は、自複合装置宛のパケット（データ）の受信を電力制御部１３０に通知して、電力消費モードを変更させる。この場合の電力消費モードの変更は、モードを通常モードに設定する変更、あるいは、待機モードに入る前の電力消費モードに戻る変更である。待機モードから抜ければ、ＣＰＵ１０４での処理が可能になり、ネットワークからの応答が可能になる。そして、ネットワークを介しての印刷やスキャンが可能になる。
【００７８】
【発明の効果】
以上制御したように本発明によれば、画像形成装置及び該画像形成装置を含んで構成される複合装置の省エネの向上を図ることができる。
【図面の簡単な説明】
【図１】本発明の第１の実施形態による複合装置の構成を示すブロック図である。
【図２】コントローラボードに搭載されるソフトウエア全体の構成を説明する図である。
【図３】モード移行の処理動作を説明するフローチャートである。
【図４】本発明の第２の実施形態による複合装置の構成を示すブロック図である。
【符号の説明】
１０１  コントローラボード
１０２  ＡＳＩＣ、
１０３  ＡＳＩＣクロック生成部
１０４  ＣＰＵ
１０５  ＣＰＵ電力制御部
１０６  メモリ（ＳＤＲＡＭ）
１０７  メモリカード（Ｍｅｍｏｒｙ  Ｃａｒｄ）
１０８  ネットワーク用のＰＨＹ
１０９  ＰＨＹクロック生成部
１１０  操作部（Ｏｐｅｒａｔｉｏｎ  Ｐａｎｅｌ）
１１１  ＨＤＤ
１１２  ボード電力制御部
１１３  外部電力制御部
１１４  ＣＰＵＩ／Ｆ
１１５  メモリＩ／Ｆ（ＭＥＭＩ／Ｆ）
１１６  ＯＰＥＩ／Ｆ１１６
１１７  ＨＤＤＩ／Ｆ
１１８  汎用Ｉ／ＯＩ／Ｆ
１１９  Ｍｅｍｏｒｙ  Ｃａｒｄ  Ｉ／Ｆ１１９
１２０  中央制御部１２０
１２１  ＰＣＩＩ／Ｆ
１２２  複合装置（ＭＦＰ）
１２３  スキャナ
１２４  プリンタ
１２５  ＩＥＥＥ１３９４Ｉ／Ｆ
１２６  ＦＡＸ制御部（ＦＣＵ）
１２７  ＭＡＣ送信部
１２８  ＭＡＣ受信部
１２９  データ解析部
１３０  電力制御部
１３１  クロック制御部
２０１  プラットフォーム
２０２  アプリケーション
２０３  共通システムサービス
２０４  アプリケーションインタフェースＡＰＩ
２０５  エンジンインタフェース（Ｉ／Ｆ）
２０６  ハードウェアインタフェース（Ｉ／Ｆ）
２０７  システムリソースマネージャーＳＲＭ
２０８  汎用ＯＳ
２０９  システムコントロールサービスＳＣＳ
２１０  ネットワークコントロールサービスＮＣＳ
２１１  ＦＡＸコントロールサービスＦＣＳ
２１２  オペレーションパネルコントロールサービスＯＣＳ
２１３  メモリコントロールサービスＭＣＳ
２１４  エンジンコントロールサービスＥＣＳ
２１５  電力管理アプリケーション
２１６  工程検査アプリケーション
２１７  ネットファイルアプリケーション
２１８  スキャナアプリケーション
２１９  ファックスアプリケーション
２２０  コピーアプリケーション
２２１  プリンタアプリケーション
２２２  黒白レーザプリンタＢ＆ＷＬＰ
２２３  カラーレーザプリンタＣＯＬＯＲＬＰ
２２４  ネットワーク送信部
２２５  ネットワーク受信部
２２６  電力制御部
２２７  その他のハードウェアリソース
２２８  アプリケーションサービス
【図１】
2004289361.tif 000012
【図２】
2004289361.tif 000013
【図３】
2004289361.tif 000014
【図４】
2004289361.tif 000015